(57)【要約】【課題】  着用時に、吸収体の多層部と他の部分との剛性差に起因する皺が生じにくく、着用者の身体形状に対するフィット性及び防漏性に優れた吸収性物品を提供すること。【解決手段】  着用時の前後方向と同方向に長い吸収体４を具備する吸収性物品１において、吸収体４は、長手方向に一部に、他の部分より層数が多い多層部Ｍを有しており、吸収体４を、多層部Ｍの後端位置Ｍａにおいて幅方向に横切る仮想直線Ｘ−Ｘを想定したときに、吸収体４の両側部それぞれに、仮想直線Ｘ−Ｘの前後に亘り且つ該仮想直線Ｘ−Ｘから後方に１５ｍｍ以上延びる溝７Ａ，７Ｂが形成されており、吸収性物品１を前方から後方に向かって見たときに、吸収体４の両側部に形成された溝７の本数が、仮想直線Ｘ−Ｘと、該仮想直線Ｘ−Ｘから１５ｍｍ後方の位置との間で増加していない。【選択図】  図１
2006230714.tif 000002
【特許請求の範囲】
【請求項１】
着用時の前後方向と同方向に長い吸収体を具備する吸収性物品において、
前記吸収体は、長手方向の一部に、他の部分より層数が多い多層部又は他の部分よりも厚い厚層部を有しており、
前記吸収体を、前記多層部又は前記厚層部の後端位置において幅方向に横切る仮想直線を想定したときに、
前記吸収体の両側部それぞれに、前記仮想直線の前後に亘り且つ該仮想直線から後方に１５ｍｍ以上延びる溝が形成されており、前記吸収性物品を前方から後方に向かって見たときに、該吸収体の両側部に形成された溝の本数が、前記仮想直線と、該仮想直線から１５ｍｍ後方の位置との間で増加していないことを特徴とする吸収性物品。
【請求項２】
前記仮想直線の前後に亘り且つ該仮想直線から後方に１５ｍｍ以上延びる前記溝が、前記吸収体の両側部それぞれに複数本形成されている請求項１記載の吸収性物品。
【請求項３】
前記仮想直線の前後に亘り且つ該仮想直線から後方に１５ｍｍ以上延びる前記溝は、前記吸収体の両側部それぞれにおける少なくとも１本が、吸収性物品の後方に向かうにつれて、吸収性物品の長手方向中央線に近づくように傾斜している請求項１又は２記載の吸収性物品。
【請求項４】
前記多層部又は前記厚層部の後端位置が、前記吸収体の前端から後方に１００ｍｍの位置から２００ｍｍの位置までの範囲内にある請求項１〜３の何れか記載の吸収性物品。
【請求項５】
装着時に非肌当接面側に折り返されてショーツに固定されるウイング部を有し、前記多層部又は前記厚層部の後端位置が、該ウイング部の後端位置より前方に２０ｍｍ離間した位置から、該ウイング部の後端位置より後方に６０ｍｍ離間した位置までの範囲内にある請求項１〜４の何れか記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
生理用ナプキン等の吸収性物品において、吸収量増加やフィット性改善等による防漏性の向上のため、吸収体の中央部（股下部）を、他の部分よりも厚くしたり、肌当接面側に突出させることが知られている。
【０００３】
例えば、特許文献１には、下部吸収材と、前端部域から中央部域の幅方向両端部を内方へ折込み、この折込み部を該下部吸収材の幅よりも狭く形成した上部吸収材とから形成される吸収体を具備し、幅方向中央部域を厚層に且つ後端部域を薄層に形成した生理用ナプキンが提案されている。
尚、特許文献１及び２には、吸収性物品の長手方向両側部に溝や線状の模様を形成した吸収性物品が記載されている。
【０００４】
【特許文献１】実開昭５８−１３２２８号公報
【特許文献２】特開２００４−１８１０８４号公報
【特許文献２】特開２００４−１８１１０７号公報
【発明の開示】
【発明が解決しようとする課題】
【０００５】
特許文献１に開示されているような、従来のナプキンはその肌当接面側に、ナプキンの着用時において、前記中央部と、厚層には形成されていない部分との境界部分に、吸収体の剛性差に起因する皺が入りやすく、このため、該境界部分及びその近傍に位置するナプキンの肌当接面と、着用者の肌との間に隙間が形成されやすく、該隙間に経血等の排泄物が滞留し、滞留した排泄物が、就寝時等において、外部に漏れ出すおそれがある。また、皺や、着用者との間の隙間によって装着感が低下することもある。
【０００６】
従って、本発明の目的は、着用時に、吸収体の多層部又は厚層部と他の部分との剛性差に起因する皺が生じにくく、着用者の身体形状に対するフィット性及び防漏性に優れた吸収性物品を提供することにある。
【課題を解決するための手段】
【０００７】
本発明は、着用時の前後方向と同方向に長い吸収体を具備する吸収性物品において、前記吸収体は、長手方向の一部に、他の部分より層数が多い多層部又は他の部分よりも厚い厚層部を有しており、前記吸収体を、前記多層部又は前記厚層部の後端位置において幅方向に横切る仮想直線を想定したときに、前記吸収体の両側部それぞれに、前記仮想直線の前後に亘り且つ該仮想直線から後方に１５ｍｍ以上延びる溝が形成されており、前記吸収性物品を前方から後方に向かって見たときに、該吸収体の両側部に形成された溝の本数が、前記仮想直線と、該仮想直線から１５ｍｍ後方の位置との間で増加していないことを特徴とする吸収性物品を提供することにより前記目的を達成したものである。
【発明の効果】
【０００８】
本発明の吸収性物品は、着用時に、吸収体の多層部又は厚層部と他の部分との剛性差に起因する皺が生じにくく、着用者の身体形状に対するフィット性及び防漏性に優れている。
【発明を実施するための最良の形態】
【０００９】
以下に、本発明について、その好ましい一実施形態に基づき図面を参照しながら説明する。
本実施形態の生理用ナプキン１は、図１〜図３に示すように、液透過性の表面シート２、液不透過性の裏面シート３、及びこれら両シート２，３間に介在された液保持性の吸収体４を具備する。また、このナプキン１の肌当接面側の吸収性物品（ナプキン）長手方向の両側部には、その長手方向の略全長に亘って一対のサイドシート５，５が、それぞれ該吸収体４の長手方向に沿って配されている。本明細書において、「肌当接面側」とは、各部材の両側（面）のうち、着用時に着用者の肌側に向けて配される側（面）である。また、以下、「非肌当接面側」という語句を使用することがあるが、これは、各部材の両側（面）のうち、着用時に着用者の肌側とは反対側に向けて配される側（面）である。
【００１０】
生理用ナプキン１は、着用時に着用者の排泄部に対向する排泄部対向部Ａと、該排泄部対向部Ａの前後に延在する前方部Ｂ及び後方部Ｃとを有する。生理用ナプキン１の着用時には、前方部Ｂが着用者の前（腹）側に、後方部Ｃが着用者の後（背）側にそれぞれ配される。
【００１１】
表面シート２は、図１及び図２に示すように、吸収体４の肌当接面側の全域を被覆している。裏面シート３は、吸収体４の非肌当接面側の全域を被覆し、該吸収体４のナプキン幅方向両側縁それぞれから外方に延出した部分を有し、その延出部分が、サイドシート５と共に、ナプキン１の幅方向両側部それぞれにサイドフラップ６を形成している。サイドフラップ６は、排泄部対向部Ａ及び後方部Ｃのそれぞれにおいて大きく外方に延出し、一対のウイング部６１，６１及び一対の後部フラップ６２，６２を形成している。後部フラップ６２は、着用時にショーツ等の着衣の内面（肌対向面）上に配される。
裏面シート３の幅方向中央部及び一対の該ウイング部６１，６１の非肌当接面側には、それぞれ粘着剤が塗布されて、ナプキン１をショーツ等に固定するための固定部（図示せず）が形成されている。
【００１２】
本実施形態のナプキン１における吸収体４は、図１に示すように、着用時の前後方向と同方向に長い形状を有しており、その長手方向の一部に、他の部分より層数が多い多層部Ｍを有している。図１中の点線の斜線部が、多層部Ｍである。多層部Ｍは、吸収体４の幅方向においても、吸収体の一部（具体的には、中央部）に形成されている。
吸収体４は、図１及び図２に示すように、前方部Ｂから後方部Ｃに亘って配された主吸収体４１と、排泄部対向部Ａ付近のみに配された補助吸収体４２とから構成されている。
【００１３】
主吸収体４１は、図２に示すように、下部吸収体４１１と、該下部吸収体４１１の肌当接面側に配された上部吸収体４１２とから構成されている。下部吸収体４１１及び上部吸収体４１２は、何れも、実質的に縦長の矩形状の平面視形状をなしている。
【００１４】
補助吸収体４２は、図１及び図２に示すように、主吸収体４１より小型の吸収体で、縦長に形成されており、排泄部対向部Ａにおける下部吸収体４１１と上部吸収体４１２との間に配されている。
主吸収体４１の一部に補助吸収体４２を配することで、吸収体４の一部の吸収容量を容易且つ効率的に増大させることができる。
また、補助吸収体４２が、下部吸収体４１１と上部吸収体４１２との間に挟まれていると、補助吸収体４２が介在している部分とそれより外側の部分との境目付近に段差が大きくならず、厚み方向における重心が略中心付近となるため、ヨレが生じにくくなる。
【００１５】
補助吸収体４２は、図２に示すように、一枚の吸収性シートを折り畳んで形成されている。具体的には、平面視長方形ないし正方形状の吸収性シートにおける、ナプキンの長手方向と一致する方向の両側部を、裏面シート３側に折り返し、その折り返した部分の端縁同士を吸収性シートの幅方向中央部で重ね合わせてある。
【００１６】
この吸収体４においては、下部吸収体４１１と上部吸収体４１２との間に補助吸収体４２が介在していない部位が２層構造となっているのに対して、下部吸収体４１１と上部吸収体４１２との間に補助吸収体４２が介在する部位が４層構造となっており、補助吸収体４２が介在する該部位が、多層部Ｍとなっている。尚、下部吸収体４１１と上部吸収体４１２とは、補助吸収体４２が介在していない部位において互いに接合されていてもいなくても良く、補助吸収体４２が介在する部位（多層部）においても、下部吸収体４１１と補助吸収体４２との間及び上部吸収体４１２と補助吸収体４２との間はそれぞれ接合されていてもされていなくても良い。
【００１７】
本実施形態における吸収体４においては、その長手方向の両側部それぞれに、図１及び図２に示すように、概ねナプキン１の長手方向に延びるように溝７が形成されている。長手方向の左右それぞれに概ね長手方向に延びるように形成された各溝７は、それらの前後端部において、略円弧状に形成された連結部７Ｃ，７Ｄを介して連結されている。連結部７Ｃ，７Ｄのように、概ねナプキン１の幅方向に延びる部分は、溝７や後述する溝７Ａ，７Ｂの一部に含めない。概ね吸収性物品の長手方向に延びる部分と概ね吸収性物品の幅方向に延びる部分との境界は、ナプキン（吸収性物品）１の長手方向中央線ＣＬ又はその平行線に対して、接線のなす角度θが６０度となる部分Ｓ（図１参照、溝外部線と内部線中間位置で接線を計測）である。各溝７は、吸収体４における外層部Ｍ以外の部分に形成されている。より具体的には、溝７は、吸収体４の外層部Ｍを挟んでその両外側に形成されている。
【００１８】
吸収体４の両側部それぞれに形成された溝７は、図１及び図２に示すように、吸収体４を、多層部Ｍの後端位置Ｍａにおいて幅方向に横切る仮想直線Ｘ−Ｘを想定したとき、それぞれ、該仮想直線Ｘ−Ｘの前後に亘っている。即ち、各溝７は、仮想直線Ｘ−Ｘを、吸収体４の前後方向に横切っている。
本実施形態における各溝７は、仮想直線Ｘ−Ｘを横切る箇所においては、図１及び図２に示すように、２本の溝７Ａ，７Ｂとなっている。そして、それらの溝７Ａ，７Ｂは、それぞれ、該仮想直線Ｘ−Ｘから後方に１５ｍｍ以上延びている。即ち、本実施形態においては、仮想直線Ｘ−Ｘの前後に亘り且つ該仮想直線Ｘ−Ｘから後方に１５ｍｍ以上延びる溝が、吸収体の両側部それぞれに、それぞれ、概ねナプキン（吸収性物品）の長手方向に延びるように複数本形成されている。尚、図１中のＹ―Ｙ線は、仮想直線Ｘ−Ｘから１５ｍｍ離間した位置に想定した第２の仮想直線である。
【００１９】
溝７Ａ，７Ｂは、多層部Ｍとその他の部分（特に多層部の後方に位置する部分）との剛性差に起因する皺を防止する観点から、仮想直線Ｘ−Ｘから後方に１５〜１５０ｍｍ延びていることがより好ましい。同様の観点から、溝７Ａ，７Ｂは、仮想直線Ｘ−Ｘから前方に延びる長さＬ１（図３参照）が、少なくとも５ｍｍであることが好ましく、１〜１０ｍｍであることがより好ましい。
【００２０】
また、本ナプキン１においては、ナプキン（吸収性物品）１を前方から後方に向かって見たときに、吸収体４の両側部それぞれに、概ねナプキン１（吸収性物品）の長手方向に沿って形成された溝の本数が、仮想直線Ｘ−Ｘと、該仮想直線Ｘ−Ｘから１５ｍｍ後方の位置（第２仮想直線Ｙ―Ｙ線の位置）との間（図１中にＰで示す領域内）で増加していない。概ねナプキン１（吸収性物品）の長手方向に沿う溝は、その本数が、仮想直線Ｘ−Ｘより後方の全域において増大していないことが好ましい。
【００２１】
本実施形態のナプキン１においては、吸収体４の長手方向に一部に多層部Ｍを有している。このような構成は、特に高い吸収能力が必要とされる部位の吸収能力（吸収容量）を、全体の装着感を損なうことなく高めたり、あるいは、着用者の液排泄部に対するフィット性を高めたり、多層部Ｍの形状が安定化することによりヨレを生じにくくすることができる等の利点があるが、その反面、溝７Ａ，７Ｂが設けられていない場合には、剛性の高い多層部Ｍと剛性が相対的に小さい他の部位との間の剛性差により、吸収体４が、多層部Ｍの後端Ｍａ近傍（例えば、図１中にＰで示す領域内）に、吸収体４の折れや皺が生じ易かった。
本実施形態のナプキン１によれば、上述した態様で溝７Ａ，７Ｂを設けることで、吸収体４に多層部Ｍを設けることによる剛性差、ひいてはナプキン長手方向の剛性差を緩和でき、ナプキンの着用者に対するフィット性や防漏性を向上させることができる。
【００２２】
斯かる効果は、本実施形態のナプキン１のように、仮想直線Ｘ−Ｘの前後に亘り且つ該仮想直線Ｘ−Ｘから後方に１５ｍｍ以上延びる溝が、吸収体４の両側部それぞれに複数本形成されていると一層奏されるので好ましいが、本発明における溝は、吸収性物品の両側部それぞれに一本のみ形成されたものであっても良い。
【００２３】
また、本実施形態のナプキン１においては、仮想直線Ｘ−Ｘの前後に亘り且つ該仮想直線Ｘ−Ｘから後方に１５ｍｍ以上延びる溝７Ａ，７Ｂの内の一方の溝７Ａは、図１に示すように、ナプキン（吸収性物品）１の後方に向かうにつれて、ナプキン（吸収性物品）の長手方向中央線ＣＬに近づくように傾斜している。本発明の吸収性物品においては、複数本の溝を有する場合の全部若しくは一部の溝、又は単一本の溝を有する場合の該溝が、このような向きに傾斜していることが、吸収体４に多層部Ｍを設けることにより生じる剛性差をより一層緩和できることから、好ましい。
尚、傾斜する溝７Ａは、仮想直線Ｘ−Ｘと交差する点における接線と、ナプキン（吸収性物品）の長手方向中央線ＣＬとのなす角度θ１（図１参照）が、５〜６０度であることが好ましく、１５〜４５度であることがより好ましい。
【００２４】
本発明の吸収性物品は、多層部Ｍの後端の位置が、吸収体４の前端から後方に１００ｍｍの位置から２００ｍｍの位置までの範囲内、特に吸収体４の前端から後方に１２０ｍｍの位置から１７０ｍｍの位置までの範囲内にあることが、高い吸収能力及び／又はフィット性を要求される部分に経済的あるいは効率的にそのような性能を付与できる観点、及び本発明の効果がより一層顕著に奏される観点から好ましい。また、同様の観点から、上記ナプキン１のように、装着時に非肌当接面側に折り返されてショーツに固定されるウイング部を有する場合、多層部Ｍの後端Ｍａの位置が、該ウイング部６１の後端位置６１ａより前方に２０ｍｍ離間した位置から該後端位置６１ａより後方に６０ｍｍ離間した位置までの範囲内、特にウイング部６１の後端位置の前方に１０ｍｍ離間した位置から該後端位置６１ａより後方に５０ｍｍ離間した位置までの範囲内にあることが好ましい。
【００２５】
本発明の吸収性物品においては、吸収体４の全長（ナプキン長手方向の長さ）が１７０〜３７０ｍｍの範囲にあることが好ましく、また、吸収体の幅（ナプキン幅方向の長さ）が６０〜９０ｍｍの範囲にあることが好ましい。また、多層部Ｍは、その全長（ナプキン長手方向の長さ）が７０〜２００ｍｍ、幅（ナプキン幅方向の長さ）が３０〜５０ｍｍの範囲にあることが好ましい。吸収体４と多層部Ｍとの全長比は、（吸収体全長）：（多層部全長）＝１：０．１８〜１：０．５４の範囲にあることが好ましく、また、吸収体４と多層部Ｍとの幅比は、（吸収体全幅）：（多層部前幅）＝１：０．３〜１：０．８４の範囲にあることが好ましい。
【００２６】
吸収体４は、多層部Ｍにおける坪量が１００〜５００ｇ／ｍ2であることが好ましく、多層部Ｍ以外の部分における坪量が８０〜２４０ｇ／ｍ2であることが好ましく、両者の坪量比（多層部Ｍ／多層部以外の部分）が１．１〜６．３、特に１．５〜３であることが好ましい。また、多層部Ｍにおける厚みが０．５ｍｍ〜５ｍｍであることが好ましく、多層部Ｍ以外の部分における厚みが０．５ｍｍ〜３ｍｍであることが好ましい。また、吸収体４は、多層部Ｍにおける剛性が３０〜５０ｃＮであることが好ましく、多層部Ｍの後端位置Ｍａ（Ｘ−Ｘ部分ともいう）における剛性が１５〜４０ｃＮであることが好ましく、両者の剛性比（多層部Ｍ／Ｘ−Ｘ部分）が１．０〜１．５、好ましくは１．０〜１．４、特に１．１〜１．３であることが好ましい。両者の剛性差（多層部Ｍの剛性とＸ-Ｘ部分の剛性との差）は、１０ｃＮ以下が好ましく、特に８ｃＮ以下であることが好ましい。また、Ｘ−Ｘ部分と、それより１５ｍｍの後方の位置（以下、Ｙ-Ｙ部分ともいう）とで、剛性に差がないことが、吸収体における皺防止をより一層高め、ヨレを防ぐ観点から好ましく、剛性の差は、３ｃＮ以下が好ましく、２ｃＮ以下であることがより好ましい。
【００２７】
ここでいう剛性は、以下のようにして測定される。
ＪＩＳ  Ｌ１０９６（一般織物試験方法）に規定された剛軟性測定法に適合した大栄科学精器製作所製ハンドロメーター試験機を使用し、スロット間３０ｍｍに調整した試料台上に、試験片を、該試験片の測定部位〔吸収体の多層部Ｍの中央位置（図１のＺ-Ｚ線の位置、以下Ｚ−Ｚ部分ともいう）、Ｘ-Ｘ部分又はＹ−Ｙ部分〕がスロット間の中心にくるように且つ該試験片の吸収体長さ方向がスロットに直交する方向と一致するようにして、水平に配置し（試料台に固定しない）、試料台表面から８ｍｍ下方の位置（最下位置）まで下降するように調整したブレードを、試験片の上方から、一定速度２００ｍｍ／ｍｉｎで下降させ、該試験片を長さ方向前後に押圧した時の指示計（荷重計）の示す最高値（ｃＮ）を読み取る。測定は５回行い、その平均値を算出して剛性値とした。
【００２８】
尚、試験片は、吸収性物品から吸収体を破損しないように取り出し、幅７５ｍｍ、長さ２７０ｍｍの長手方向両端部が半円形状のサンプルを得、これを試験片とした。この場合、なるべく吸収体以外の材料を排除することが好ましいが、吸収体を破損させないために、表面シート・裏面シートの一部または表面シートと裏面シートの接合用の接着剤が一部付着した状態であっても良い。なお、試験片の幅が異なる場合は、剛性値を７５ｍｍ幅に換算し調整する。また、長さは５０ｍｍ（スロット間３０ｍｍ＋両端各１０ｍｍ）以上あれば測定可能である（換算の必要はない）。
また、吸収体の厚みは、剛性測定用のサンプルと同様、破損しないように取り出した吸収体を使用するが、表面シート、裏面シートや接着剤等の吸収体以外の材料を含まない部分で測定する。
尚、厚みの測定は、尾崎製作所（株）製の厚み計である「ＰＥＡＣＯＣＫ  ＵＰＲＩＧＨＴ  ＤＩＡＬ  ＧＵＡＧＥ  Ｎｏ．２０７」を使用し、２．５g/ｃｍ2荷重下で測定する。測定は５個のサンプルについて測定した平均値を厚みとした。
【００２９】
尚、上述した実施形態における溝７Ａや７Ｂは、周面に、それらの溝に対応する形状の凸条部を有するエンボスロールとエンボスロールの周面に対向配置された受けロールとを具備する熱エンボス装置の前記両ロール間に、吸収体４及び表面シート２の積層体を挿通し、表面シート２側をエンボスロール側にして、これらを一体的に加熱及び加圧して形成されている。溝７Ａ，７Ｂの形成方法としては、ヒートエンボス以外に、超音波エンボス、高周波エンボス等によって形成することもできる。
【００３０】
本実施形態のナプキン１の各部を構成する材料としては、当該技術分野において通常用いられているものを特に制限無く用いることができる。
例えば、前記表面シート２としては、親水性且つ液透過性の不織布や、開孔フィルムを用いることができる。前記裏面シート３としては、液不透過性の材料や撥水性の材料を用いることができる。液不透過性の材料としては、樹脂フィルムや、樹脂フィルムと不織布等とのラミネート材等を用いることができ、撥水性の材料としては、スパンボンド・メルトブローン・スパンボンド等からなる多層構造の複合不織布、スパンボンド不織布、ヒートボンド不織布、エアスルー不織布等を用いることができる。前記サイドシート５としては、前記裏面シート３と同様のものを用いることができる。
【００３１】
前記主吸収体４１としては、パルプ繊維等からなる繊維集合体、又は繊維集合体と吸水性ポリマーとからなるもの（吸水性ポリマーと繊維材料との混合積繊物）等を用いることができる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。主吸収体４１を構成する繊維としては、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。吸水性ポリマー及び繊維は、それぞれ一種又は二種以上を組み合わせて用いることができる。
【００３２】
前記補助吸収体４２（前記吸収性シート）としては、前記主吸収体４１と同様のものや、２枚の不織布や紙の間に吸収性ポリマーやパルプを担持した吸収性シート、特開平８−２４６３９５号公報記載の吸収性シート等を用いることができる。
【００３３】
以上、本発明の一実施形態について説明したが、本発明は、上述した実施形態に制限されず、本発明の趣旨を逸脱しない範囲で種々変更が可能である。
例えば、上述した実施形態では、補助吸収体４２が、下部吸収体４１１と上部吸収体４１２との間に配されて多層部Ｍが形成されていたが、下部吸収体４１１の非肌当接面側（下部吸収体４１１と裏面シート３との間）や、上部吸収体４１２の肌当接面側（上部吸収体４１２と表面シート２との間）に補助吸収体４２を配して多層部Ｍを形成することもできる。
【００３４】
また、本発明における吸収体は、長手方向の一部に、他の部分より厚みが厚い厚層部を有するものであっても良い。
例えば、多層部とせずに吸収体全体を単層とし、上述した実施形態における多層部Ｍに対応する位置を、パルプや吸収ポリマーの配合量を多くして厚層部として形成してもよい。吸収体が厚層部を有する場合においても、上述したナプキン１と同様の溝７，７を形成することで、多層部を有する場合と同様の作用効果が奏される。厚層部を形成した場合の溝７，７の配置態様は、好ましい配置態様を含めて、多層部を形成した場合と同様である。
【００３５】
また、上述した実施形態では、多層部Ｍ以外の部分が、下部吸収体４１１と上部吸収体４１２とからなる２層構造とされていたが、単層構造としてもよい。また、多層部Ｍを４層構造とするのに代えて、２層又は３層あるいは５層以上の積層構造とすることもできる。多層部Ｍとそれ以外の部分との層数の差は、２層とするのに代えて、１層あるいは３層以上とすることもできる。溝は、吸収体及び表面シートを一体的に圧縮して形成したものに代えて、吸収体のみを圧縮して形成したものであっても良い。
【００３６】
また、サイドシート５を省略して表面シート２のみにより肌当接面を形成することもできる。また、サイドシート５は、それ自体に伸縮可能な材料を使用したり、その内側縁部５１付近に糸状・帯状の弾性材（例えば糸ゴムや平ゴム）を配置し、該弾性材を内側縁部５１で折り返したサイドシート５で挟み込んだりして、ポケットを形成（開口）し易くしても良い。また、上述した実施形態はウイング部６１を有していたが、ウイング部を有しないものであってもよい。
また、本発明の吸収性物品は、上述した生理用ナプキン以外に、パンティライナー（おりものシート）、失禁パッド等であっても良い。
【実施例】
【００３７】
（吸収体の作成）
下部吸収体と上部吸収体とを、両者間に補助吸収体を挟んで積層し、長手方向の一部に多層部Ｍを有する吸収体を作成した。吸収体は、同一構成のものを多数作成した。
下部吸収体、上部吸収体及び補助吸収体としては、それぞれ以下のものを用いた。
下部吸収体：パルプ繊維に吸水性ポリマーを分散状態に固定させたシート（花王（株）製「ロリエスーパースリムガード」に使用の吸収性シート）を使用した。この時、吸収性シートの坪量は８０ｇ／ｍ2、幅７５ｍｍ、長さ２７０ｍｍ
上部吸収体：パルプ繊維に吸水性ポリマーを分散状態に固定させたシート（花王（株）製「ロリエスーパースリムガード」に使用の吸収性シート）を使用した。この時、吸収性シートの坪量は８０ｇ／ｍ2、幅７５ｍｍ、長さ２７０ｍｍ
補助吸収体：パルプ繊維に吸水性ポリマーを分散状態に固定させたシート（花王（株）製「ロリエスーパースリムガード」に使用の吸収性シート）を使用した。この時、吸収性シートの坪量は１００ｇ／ｍ2、幅７０ｍｍを３５ｍｍになるよう、幅方向中央部で重ね合うように折り返した。長さ９０ｍｍ
【００３８】
（実施例１）
製造した吸収体の長手方向の両側部に、ヒートエンボス加工により、図３に示すような形状及び寸法の溝７１を形成して、溝付き吸収体サンプルを得た。表１に、形成した各溝について、多層部Ｍ後端を通る仮想直線Ｘ−Ｘより前方に延びる長さＬ１、仮想直線Ｘ−Ｘより後方に延びる長さＬ２、吸収体４幅方向（図３中Ｗ方向）における、多層部Ｍとの離間距離Ｗ１、吸収体の長手方向中央線又はそれと平行な直線に対する溝の傾斜角度θ１を記載した。表１に、吸収体の多層部Ｍ及びそれ以外の部分の厚み（２．５g/ｃｍ2荷重下）も併せて示した。
【００３９】
【表１】
2006230714.tif 000003
【００４０】
得られた溝付き吸収体サンプルを用いて、吸収体の溝以外は、図１に示す形態の生理用ナプキンと略同様の形態を有する生理用ナプキンを作製した。
ナプキンの外形は、全長を３００ｍｍ、前方ウイング全幅を１６０ｍｍ、ナプキンの先端部から前方ウイング部の中心までの長さを１１５ｍｍとした。
液透過性シート：エアスルー不織布（花王（株）製「ロリエスーパースリムガード」に使用の開孔シート）を使用した。
液不透過性シート：厚み２５μｍのポリエチレンフィルムを使用した。
側部シート：１８ｇ／ｍ2のポリプロピレン製ＳＭＳ不織布を使用した。
ナプキン：溝付き吸収体サンプルを、上記液透過性シートと上記液不透過性シートとの間の所定位置に配し、さらに上記側部シートを液透過性シートの両側部を覆うように配し、液不透過性シートの外緑部に沿うように液透過性シート及び側部シートと液不透過性シートとをヒートシールによって接合するとともに、液透過性シートと側部シートとをヒートシールによって接合した。
【００４１】
（実施例２〜６，比較例１，２）
形成する溝の形状や寸法、傾斜角度を、表１に示すように変更した以外は、実施例１と同様にして、溝付き吸収体サンプルを得た。それらの吸収体サンプルを用いる以外は、実施例１と同様にして生理用ナプキンを製造した。図４（ａ）は、実施例５の溝を示す概略図であり、図４（ｂ）は、実施例６の溝を示す概略図であり、図４（ｃ）は、実施例４の溝を示す概略図である。
【００４２】
（実施例７）
吸収体の両側部それぞれの溝の本数を２本にする以外は、実施例１と同様にして、溝付き吸収体サンプルを得た。Ｗ１の値は、１本は５ｍｍとし、もう一本は９．５ｍｍとした。そして、その吸収体サンプルを用いる以外は、実施例１と同様にして生理用ナプキンを製造した。
【００４３】
（比較例３）
吸収体に、図４（ｄ）に示すような、溝７２を形成する以外は、実施例１と同様にして、溝付き吸収体サンプルを得た。そして、その吸収体サンプルを用いる以外は、実施例１と同様にして生理用ナプキンを製造した。
（比較例４）
吸収体に溝を形成しない以外は、実施例１と同様にして吸収体サンプルを製造し、その吸収体サンプルを用いる以外は、実施例１と同様にして生理用ナプキンを製造した。
【００４４】
（評価）
得られた各吸収体サンプルについて、ハンドロメータを用いて剛性を測定した。
剛性は、各吸収体サンプルについて、多層部Ｍの長手方向中央位置（Ｚ−Ｚ部分）、多層部の後端位置Ｍａ（Ｘ−Ｘ部分）及び後端位置Ｍａより更に１５ｍｍ後方の位置（Ｙ−Ｙ部分）の３カ所における剛性を測定した。具体的には、Ｚ−Ｚ部分、Ｘ−Ｘ部分又はＹ−Ｙ部分を、スロット間の中心にくるように且つ吸収体長さ方向がスロットに直交する方向と一致するようにして、上述した方法により測定した。各吸収体サンプルは、それぞれ１５個以上作成し、各部の剛性値は、５個のサンプルについて同様に測定した平均値を表２に記載した。
【００４５】
【表２】
2006230714.tif 000004
【００４６】
表２に示す結果から判るように、多層部Ｍの剛性値４０ｃＮ（Ｚ−Ｚ部分）であるのに対し、多層部Ｍの後端位置Ｍａにおいて吸収体４を幅方向に横切る仮想直線Ｘ−Ｘを想定したときに、仮想直線Ｘ−Ｘの前後に亘り且つ該仮想直線Ｘ−Ｘから後方に１５ｍｍ以上延びる溝を形成することにより、多層部Ｍとその後方との間の剛性差を緩和できることが判る。更に、実施例４，５のように、後方に向かうに従って長手方向中央線ＣＬに近づくように傾斜した溝を形成するか、あるいは、実施例７のように、吸収体の両側部それぞれに複数本の溝を形成することにより、そのような効果が一層奏されることが判る。
【００４７】
実施例及び比較例で製造した生理用ナプキンについて、ナプキン装着用の樹脂製の透明なモデルを用いて該ナプキンを擬似的に装着し、その装着状態を目視により観察して、身体形状に対するフィット性及び液流れ性を評価した。
【００４８】
〔装着状態（フィット性）の評価〕
得られたナプキンについて、ナプキン装着用のアクリル樹脂製の透明なモデルを用いて該ナプキンを生理用ショーツ（製品名：ロリエアクティブガード（コットンフィール）、Ｌサイズ）を用いて擬似的に装着し、股間部に対するナプキンの形状を透明なモデルの上部から目視により観察し、ナプキン中央部（多層部Ｍ）及び多層部Ｍの後端位置Ｍａ付近のフィット性を評価した。評価は、○：皺が見られない，△：深さ２ｍｍ以下の皺あり，×：深さ２ｍｍを超える皺あり，とした。
【００４９】
その結果を表２に示した。実施例１〜７のナプキンは透明なモデルの股間部になだらかに沿った形状であり、装着時の形状安定性に優れ、中央部（多層部Ｍ）及び多層部Ｍの後端位置Ｍａ付近の両方における身体へのフィット性が良好であった。これに対し、比較例１〜４のナプキンは、多層部Ｍの後端位置Ｍａ付近に皺が大きく入った。このため、透明なモデルへのフィット性に劣り、装着形状が悪かった。
【００５０】
〔液流れ性の評価〕
得られたナプキンについて、ナプキン装着用のアクリル樹脂製の女性が立っている状態の腰部部分を再現した透明なモデルを用いて該ナプキンを生理用ショーツ（製品名：ロリエアクティブガード（コットンフィール）、Ｌサイズ）を用いて擬似的に装着し、評価台に寝た姿勢（生理用ショーツの側部接合線の角度と評価台とが約２５°の傾き）に置いて股間部から馬脱繊維血液を１０ｇ注入させた時の注入部からの液流れ性を観察した。液流れ評価の判断基準は、◎：滞留しない、○：若干液が滞留する、△：液が滞留し拡散する（皺に沿って拡散）、×：液が滞留／拡散し、吸収体側方を超えて流れでる（後部フラップ６２に液が達する）、とした。
【００５１】
結果を表２に示した。実施例１〜７のナプキンは中央部（多層部Ｍ）及び多層部Ｍの後端位置Ｍａ付近の両方における身体へのフィット性が良好であるため、液流れ性も良好であった。これに対し、比較例１〜４のナプキンは、多層部Ｍの後端位置Ｍａ付近に皺が大きく入り、この皺内に液が滞留し、滞留後、後部に流れでる結果であった。
【図面の簡単な説明】
【００５２】
【図１】本発明の一実施形態としての生理用ナプキンを表面シート側から見た状態を示す平面図である。
【図２】図１のＸ−Ｘ線に沿う断面を模式的に示す横断面図である。
【図３】実施例及び比較例における溝の説明図で吸収体の平面図である。
【図４】実施例及び比較例における溝の説明図で吸収体の平面図である。
【符号の説明】
【００５３】
１  生理用ナプキン（吸収性物品）
２  表面シート
３  裏面シート
４  吸収体
４１  主吸収体
４１１  下部吸収体
４１２  上部吸収体
４２  補助吸収体
５  サイドシート
Ａ  排泄部対向部
Ｂ  前方部
Ｃ  後方部
Ｍ  多層部
【図１】
2006230714.tif 000005
【図２】
2006230714.tif 000006
【図３】
2006230714.tif 000007
【図４】
2006230714.tif 000008